(57)【要約】【課題】毎回の使用開始時に、転写ヘッドにおける転写テープの塗膜切れによる被転写面への非転写部の発生を確実に防止するとともに、空滑りをなくすことができるようにした塗膜転写具を提供する。【解決手段】ケース本体１の前端部に、転写ヘッド１５を覆う状態の前進位置と、転写ヘッド１５を露出させる状態の後退位置との間で前後方向に摺動自在したヘッドキャップ９を設けて、このヘッドキャップ９を、ばね２０によって前進位置方向に付勢し、使用開始時に、ヘッドキャップ９の前端部を被転写面Ｐに押圧することにより、ヘッドキャップ９を後退位置に移動させうるようにするとともに、ケース本体１内に、転写テープＴが転写ヘッド１５に向けて繰り出されるテープ繰出手段７を設け、かつこのテープ繰出手段７を、使用開始時におけるヘッドキャップ９の後退位置への移動に連動させて、転写テープを転写ヘッドに向けて繰り出し得るようにする。【選択図】  図４
2008087257.tif 000002
【特許請求の範囲】
【請求項１】
ケース本体内に、供給リールが装着される第１歯車と、この第１歯車と連動し、かつ巻取リールが装着される第２歯車とを設け、供給リールに巻回した転写テープを、ケース本体の前端開口から突出させた転写ヘッドを経て、巻取リールに巻き取るようにした塗膜転写具において、
ケース本体の前端部に、転写ヘッドを覆う状態の前進位置と、転写ヘッドを露出させる状態の後退位置との間で前後方向に摺動自在したヘッドキャップを設け、このヘッドキャップを、ばねによって前進位置方向に付勢し、使用開始時に、ヘッドキャップの前端部を被転写面に押圧することにより、ヘッドキャップを前記後退位置に移動させうるようにするとともに、
ケース本体内に、転写テープが転写ヘッドに向けて繰り出されるテープ繰出手段を設け、このテープ繰出手段を、前記使用開始時におけるヘッドキャップの後退位置への移動に連動させて、転写テープを転写ヘッドに向けて繰り出し得るようにしたことを特徴とする塗膜転写具。
【請求項２】
テープ繰出手段を、少なくともヘッドキャップの前後方向の移動に連動するラックと、ヘッドキャップの後退位置への移動時には、前記ラックと第１歯車に噛合し、かつヘッドキャップの前進位置への移動時には、第１歯車と噛合しないピニオンとを含む構成としたことを特徴とする請求項１記載の塗膜転写具。
【請求項３】
ピニオンを、ヘッドキャップの後退位置で、ラックから離脱するようにしたことを特徴とする請求項２記載の塗膜転写具。
【請求項４】
ピニオンを、ラックとの離脱後に、第１歯車から、ヘッドキャップが前進位置にあるときに、ピニオンが位置していた元の位置に向けて離脱可能としたことを特徴とする請求項３記載の塗膜転写具。
【発明の詳細な説明】
【技術分野】
【０００１】
本発明は、不使用時において、転写テープを保護するヘッドキャップを設けた塗膜転写具に係り、特に、使用開始時に、転写ヘッドにおける転写テープの塗膜切れを防止することができるようにした塗膜転写具に関する。
【背景技術】
【０００２】
塗膜転写具においては、ケース本体内に、供給リールと巻取リールを設け、供給リールに巻回した転写テープを、ケース本体の前端開口から突出させた転写ヘッドの転写ローラを経て、巻取リールに巻き取るようにするとともに、ケース本体の前端部に、転写ヘッドを覆うヘッドキャップを設け、このヘッドキャップを、転写ヘッドを覆う状態の前進位置と、転写ヘッドを露出させる状態の後退位置との間で前後方向に摺動自在に設けるとともに、ばねによって前進位置方向に付勢したものは公知である（例えば、特許文献１）。
【０００３】
このような塗膜転写具は、使用時に、ヘッドキャップを、転写時の被転写面に対する押圧作用により、ばねの付勢力に抗してケース本体内に後退させて、転写テープを転写ヘッドと共に露出させることにより、使用可能としている。
他方、不使用時においては、ヘッドキャップを、ばねの付勢力により、前進させて転写ヘッドを覆い、これによって、転写テープを保護するとともに、誤って他の箇所に塗膜が転写されるのを防止している。
【０００４】
しかし、上記従来の塗膜転写具では、使用時に、転写ヘッドを被転写面に押圧しながらスライドさせた際に、被転写面と転写テープに塗布された塗膜間に生じる摩擦抵抗により、供給リールから転写テープを引き出すような操作によって、転写を行っていることから、転写中、供給リールに巻回された転写テープの層間における塗膜の粘着力による摩擦抵抗により、供給リールと転写ローラ間の転写テープに引張力が作用し、転写テープが伸びた状態となって引き出される。
そのため、転写終了後に、転写ヘッドを被転写面から離すと、伸びた転写テープが復元しうるように収縮し、供給リールの方向に戻ってしまい、転写ローラ上には、塗膜が剥離されたテープしか残らない。
これにより、次の使用開始時に、転写ヘッドに、転写テープの塗膜切れが生じ、転写ヘッドを被転写面に押し付けても、テープ上に塗膜がないため、被転写面に、テープ戻り分に応じた非転写部が生じたり、空滑りの要因となるという問題があった。
【特許文献１】特開２００４−２６８３２２号公報
【発明の開示】
【発明が解決しようとする課題】
【０００５】
本発明は、従来の技術の有する上記の問題点に鑑み、毎回の使用開始時に、転写ヘッドにおける転写テープの塗膜切れによる被転写面への非転写部の発生を確実に防止するとともに、空滑りをなくすことができるようにした塗膜転写具を提供することを目的とする。
【課題を解決するための手段】
【０００６】
本発明によると、上記課題は次のようにして解決される。
（１）  ケース本体内に、供給リールが装着される第１歯車と、この第１歯車と連動し、かつ巻取リールが装着される第２歯車とを設け、供給リールに巻回した転写テープを、ケース本体の前端開口から突出させた転写ヘッドを経て、巻取リールに巻き取るようにした塗膜転写具において、ケース本体の前端部に、転写ヘッドを覆う状態の前進位置と、転写ヘッドを露出させる状態の後退位置との間で前後方向に摺動自在したヘッドキャップを設け、このヘッドキャップを、ばねによって前進位置方向に付勢し、使用開始時に、ヘッドキャップの前端部を被転写面に押圧することにより、ヘッドキャップを前記後退位置に移動させうるようにするとともに、ケース本体内に、転写テープが転写ヘッドに向けて繰り出されるテープ繰出手段を設け、このテープ繰出手段を、前記使用開始時におけるヘッドキャップの後退位置への移動に連動させて、転写テープを転写ヘッドに向けて繰り出し得るようにする。
【０００７】
（２）  上記（１）項において、テープ繰出手段を、少なくともヘッドキャップの前後方向の移動に連動するラックと、ヘッドキャップの後退位置への移動時には、前記ラックと第１歯車に噛合し、かつヘッドキャップの前進位置への移動時には、第１歯車と噛合しないピニオンとを含む構成とする。
【０００８】
（３）  上記（２）項において、ピニオンを、ヘッドキャップの後退位置で、ラックから離脱するようにする。
【０００９】
（４）  上記（３）項において、ピニオンを、ラックとの離脱後に、第１歯車から、ヘッドキャップが前進位置にあるときに、ピニオンが位置していた元の位置に向けて離脱可能とする。
【発明の効果】
【００１０】
本発明によると、次のような効果が奏せられる。
請求項１記載の発明によると、ケース本体の前端部に、転写ヘッドを覆う状態の前進位置と、転写ヘッドを露出させる状態の後退位置との間で前後方向に摺動自在したヘッドキャップを設け、このヘッドキャップを、ばねによって前進位置方向に付勢し、使用開始時に、ヘッドキャップの前端部を被転写面に押圧することにより、ヘッドキャップを前記後退位置に移動させうるようにするとともに、ケース本体内に、転写テープが転写ヘッドに向けて繰り出されるテープ繰出手段を設けるとともに、このテープ繰出手段を、使用時の被転写面に対する押圧作用によるヘッドキャップの後退位置への移動に連動させて、転写テープを転写ヘッドに向けて繰り出し得るようにしてあるため、毎回の使用開始時、ヘッドキャップの前端部を被転写面に押圧することにより、ヘッドキャップが前進位置から後退位置に向けて移動し、転写テープを転写ヘッドに向けて自動的に繰り出すことができ、被転写面への非転写部の発生を確実に防止することができるとともに、空滑りをなくすことができる。
【００１１】
請求項２記載の発明によると、テープ繰出手段を、少なくともヘッドキャップの前後方向の移動に連動するラックと、このラックにヘッドキャップの前進時に噛合し、かつヘッドキャップの後退時に、ラックの移動によって第１歯車に噛合しうるように移動可能なピニオンとを含む構成としてあるため、毎回の使用開始時におけるヘッドキャップの前進位置から後退位置に向けての移動に、テープ繰出手段を、簡単な構造で、確実に連動させることができる。
【００１２】
請求項３記載の発明によると、ピニオンを、ヘッドキャップの後退位置でラックから離脱させるようにしているため、毎回の使用開始時における転写テープの転写ヘッドへの繰り出しをスムーズに行うことができる。
【００１３】
請求項４記載の発明によると、ピニオンを、ラックとの離脱後に、第１歯車から、ヘッドキャップが前進位置にあるときに、ピニオンが位置していた元の位置に向けて離脱可能としてあるため、次の使用開始時における転写テープの転写ヘッドへの繰り出しをスムーズに行うことができる。
【発明を実施するための最良の形態】
【００１４】
以下、本発明の実施形態を、添付図面を参照して説明する。
図１は、本発明の一実施形態の塗膜転写具における不使用時の転写ヘッドの保護状態を示す斜視図、図２は、同じく、下から見上げた状態の斜視図、図３は、同じく、一部破断して示す斜視図、図４は、同じく、縦断側面、図５は、使用開始時における転写ヘッドの半露出状態を示す斜視図、図６は、同じく、縦断側面図、図７は、使用時における転写ヘッドの露出状態を示す斜視図、図８は、同じく、縦断側面図である。
【００１５】
本発明の塗膜転写具は、図１〜図４に示すように、合成樹脂によって円筒状に形成されたケース本体１内の後部に、図３、図４に示すように、転写テープＴを巻回した供給リール２が装着される第１歯車３、転写後の転写テープＴを巻き取る巻取リール４が装着される第２歯車５、第１歯車３と第２歯車５とを間接的に噛合する第３歯車６、およびテープ繰出手段７を備え、かつケース本体１内の前部に、転写ヘッド支持部材８およびヘッドキャップ９を備えている。
【００１６】
ケース本体１は、前端に開口１０を有するとともに、その後部の内側壁には、供給リール２が装着される第１歯車３の支軸１１と、巻取リール４が装着される第２歯車５の支軸１２と、第１歯車３と第２歯車５とを間接的に噛合する第３歯車６の支軸１３とが設けられている。
【００１７】
転写ヘッド支持部材８は、図４に示すように、ケース本体１内の前部に保持されており、その前端には、テープガイド部材１４に取り付けた転写ヘッド１５が設けられている。この転写ヘッド１５は、ケース本体１の前端開口１０から突出させてあり、その前端には、左右方向の両端を軸支した転写ローラ１６が回転自在に設けられている。
【００１８】
図３に示すように、合成樹脂によって円筒状に形成されたヘッドキャップ９における胴部１７を、ケース本体１内の前部に摺動自在に嵌合させてある。胴部１７の前端外周には、外方に向けて突出する環状突起１８が形成されているとともに、この環状突起１８の左右には、前方に向けて先細のテーパ状に突出する左右１対の保護片１９，１９が形成され、この保護片１９の上下両端縁１９ａ，１９ｂのうちの、少なくとも被転写面である紙面Ｐ（図４参照）に接する下端縁１９ｂは、円弧状に膨出させて形成されている。
【００１９】
ヘッドキャップ９は、ケース本体１内の前部における胴部１７の後方に収容されたコイルばね２０によって、ケース本体１の前端開口１０から前方へ突出するように付勢されているとともに、その前端における左右の保護片１９，１９によって、不使用時、転写ヘッド１５の左右両側面を覆う状態の前進位置に維持されている。
【００２０】
テープ繰出手段７は、ヘッドキャップ９における胴部１７の前後方向の移動に連動する作動杆２１と、この作動杆２１の前後方向の移動に連動するラック２２と、このラック２２に噛合するピニオン２３と、このピニオン２３を前後方向に移動可能にし、かつ供給リール２が装着される第１歯車３に噛合しうるように接離させる長孔２４とを備えている。
【００２１】
ピニオン２３は、図４に示すように、不使用時におけるヘッドキャップ９の前進位置において、ラック２２に噛合するとともに、図６に示すように、使用開始時のヘッドキャップ９の後退時におけるラック２２の移動によって、供給リール２が装着されている第１歯車３に噛合しうるように移動可能となっている。
【００２２】
ピニオン２３は、図６に示す使用開始時のヘッドキャップ９の後退に伴う第１歯車３との噛合により、供給リール２を回転させ、この供給リール２に巻回された転写テープＴを、ピニオン２３の回転分に応じて、所望の長さ繰り出すようになっている。
一方、図６に示すヘッドキャップ９の後退位置では、ピニオン２３は、ラック２２から離脱して空転しうるようになっており、ラック２２からの離脱後には、長孔２４の案内により、第１歯車３からヘッドキャップ９が前進位置にあるときに、ピニオン２３が位置していた元の位置に向けて離脱しうるようになっている。
これにより、ピニオン２３は、ヘッドキャップ９の後退位置への移動時に、ラック２２と第１歯車３に噛合し、ヘッドキャップ９の前進位置への移動時には、第１歯車３と噛合しないようにしてある。
【００２３】
転写テープＴは、供給リール２から、第１ガイドピン２５、転写ヘッド１５の転写ローラ１６および第２ガイドピン２６を経由して巻取ローラ４に向けて巻き回されるようになっている。
【００２４】
次に、本発明における塗膜転写具の操作手順を説明する。
図４に示すように、不使用時、ヘッドキャップ９は、ケース本体１内の前部における胴部１７の後方に収容されたコイルばね２０によって、ケース本体１の前端開口１０から前方へ突出するように付勢されて、左右の保護片１９，１９によって、転写ヘッド１５の左右両側面を覆う状態の前進位置に維持されている。
【００２５】
使用開始時には、図６に示すように、ヘッドキャップ９の前端に突出する保護片１９における円弧状の下端縁１９ｂを、紙面Ｐに押し当てて、コイルばね２０の付勢力に抗して押圧することにより、ヘッドキャップ９の胴部１７をケース本体１内に後退させ、転写ヘッド１５の一部を半露出（図５参照）させる。
このとき、テープ繰出手段７におけるピニオン２３は、ヘッドキャップ９の後退により、作動杆２１を介して後退するラック２２と連動して後方に移動し、第１歯車３と噛合し、ラック２２の更なる後退で回転して、第１歯車３を回転させる。
これにより、供給リール２に巻回された転写テープＴは、ピニオン２３による回転分に応じた長さが自動的に繰り出されて、転写ヘッド１５の転写ロール１６上に供給される。
そのため、使用開始時に、転写ロール１６上に、塗膜が保持された転写テープＴを位置させることができ、塗膜切れを防止することができる。
【００２６】
ヘッドキャップ９の保護片１９における円弧状の下端縁１９ｂを、図８に示すように、紙面Ｐに押し当てたまま、ヘッドキャップ９を更に押圧して、ケース本体１内の後退位置まで後退させると、転写ヘッド１５は、ヘッドキャップ９から完全に露出（図７参照）するとともに、ピニオン２３は、ラック２２から離脱して空転する。
このように、転写ヘッド１５を、図８における矢印方向にスライドさせると、転写テープＴと紙面Ｐとの間に生じる摩擦抵抗により、転写テープＴを、第１歯車３と共に供給リール２を回転させて引き出し、紙面Ｐ上に、糊や修正膜等の塗膜を容易に転写することができる。
【００２７】
転写後の転写テープＴは、第３歯車６および第２歯車６を介して、第１歯車３と同期回転する巻取ローラ４に巻き取られるとともに、ラック２２から離脱したピニオン２３は、自重により、第１歯車３から離間して、ヘッドキャップ９が前進位置にあるときに、ピニオン２３が位置していた元の位置に向けて復帰する。
なお、ピニオン２３は、スプリング等の付勢力により、元の位置に復帰しうるようにしてもよい。
【図面の簡単な説明】
【００２８】
【図１】本発明の一実施形態の塗膜転写具における不使用時の転写ヘッドの保護状態を示す斜視図である。
【図２】同じく、下から見上げた状態の斜視図である。
【図３】同じく、一部破断して示す斜視図である。
【図４】同じく、縦断側面図である。
【図５】使用開始時における転写ヘッドの半露出状態を示す斜視図である。
【図６】同じく、縦断側面図である。
【図７】使用時における転写ヘッドの露出状態を示す斜視図である。
【図８】同じく、縦断側面図である。
【符号の説明】
【００２９】
１    ケース本体
２    供給リール
３    第１歯車
４    巻取リール
５    第２歯車
６    第３歯車
７    テープ繰出手段
８    転写ヘッド支持部材
９    ヘッドキャップ
１０  開口
１１  供給リール用支軸
１２  巻取リール用支軸
１３  支軸
１４  テープガイド部材
１５  転写ヘッド
１６  転写ローラ
１７  胴部
１８  環状突起
１９  保護片
１９ａ  上端縁
１９ｂ  下端縁
２０  コイルばね
２１  作動杆
２２  ラック
２３  ピニオン
２４  長孔
２５  第１ガイドピン
２６  第２ガイドピン
Ｐ    紙面（被転写面）
Ｔ    転写テープ
【図１】
2008087257.tif 000003
【図２】
2008087257.tif 000004
【図３】
2008087257.tif 000005
【図４】
2008087257.tif 000006
【図５】
2008087257.tif 000007
【図６】
2008087257.tif 000008
【図７】
2008087257.tif 000009
【図８】
2008087257.tif 000010